(57)【要約】【課題】エアコン室外機の筐体から露出する熱交換器フィンに対する外物の衝突を防ぐことができ、熱交換器フィンの外力による変形や破損、損傷を確実に防ぐことができる保護部材を提供する。【解決手段】保護部材１０Ａでは、取付手段によって可撓性ネット１２をエアコン室外機２５ａの筐体１４ａの外側に取り付けたときに、ネット１２の第１及び第２クッション部１５，１６が筐体１４ａに当接し、ネット１２の被覆エリア１７が熱交換器フィン１１ａの露出面全域を覆いつつ熱交換器フィン１１ａの外方へ所定寸法離間して位置し、熱交換器フィン１１ａとネット１２の被覆エリア１７との間に緩衝スペース２４が形成される。【選択図】図１
2020134112.tif 000002
【特許請求の範囲】
【請求項１】
被保護物を覆うことでその被保護物を保護する保護部材において、
前記保護部材が、所定面積の可撓性ネットと、前記ネットに取り付けられた支持ロッドと、前記ネットの一方の端部に位置し、所定の取付手段によって前記被保護物を支持する支持手段の一端側に取り付けられる所定厚みの第１クッションと、前記ネットの他方の端部に位置し、前記取付手段によって前記支持手段の他端側に取り付けられる所定厚みの第２クッションとから形成され、
前記保護部材では、前記取付手段によって前記第１及び第２クッションを前記支持手段に取り付けたときに、前記第１及び第２クッションが前記支持手段に当接し、前記ネットの被覆エリアが前記被保護物の露出面全域を覆いつつ該被保護物の外方へ所定寸法離間して位置し、前記被保護物と前記ネットの被覆エリアとの間に緩衝スペースが形成されることを特徴とする保護部材。
【請求項２】
前記第１クッションが、前記可撓性ネットの一端部を一方向へ巻き畳むことから形成され、前記第２クッションが、前記可撓性ネットの他端部を一方向へ巻き畳むことから形成され、前記被覆エリアが、前記第１及び第２クッションの間に延びている請求項１に記載の保護部材。
【請求項３】
前記保護部材では、前記第１クッションが前記被保護物を支持する支持手段の上端部に当接し、前記第２クッションが前記支持手段の下端部に当接し、前記被覆エリアが前記第１及び第２クッションの間において前記被保護物の露出面全域を覆いつつ上下方向へ延びている請求項１又は請求項２に記載の保護部材。
【請求項４】
複数の前記支持ロッドが、横方向へ所定寸法離間しつつ前記可撓性ネットの被覆エリアに位置して上下方向へ延びているとともに、前記ネットの網目に挿通されることで該ネットに取り付けられ、又は、所定の連結手段によって前記ネットに取り付けられている請求項３に記載の保護部材。
【請求項５】
それら支持ロッドが、前記可撓性ネットの被覆エリアの一方の側縁部と他方の側縁部と中央部とに配置されている請求項４に記載の保護部材。
【請求項６】
前記保護部材では、前記第１クッションが前記被保護物を支持する支持手段の一方の側部に当接し、前記第２クッションが前記支持手段の他方の側部に当接し、前記被覆エリアが前記第１及び第２クッションの間において前記被保護物の露出面全域を覆いつつ横方向へ延びている請求項１又は請求項２に記載の保護部材。
【請求項７】
複数の前記支持ロッドが、上下方向へ所定寸法離間しつつ前記可撓性ネットの被覆エリアに位置して横方向へ延びるとともに、前記ネットの網目に挿通されることで該ネットに取り付けられ、又は、所定の連結手段によって前記ネットに取り付けられている請求項６に記載の保護部材。
【請求項８】
それら支持ロッドが、前記可撓性ネットの被覆エリアの上端部と下端部と中央部とに配置されている請求項７に記載の保護部材。
【請求項９】
前記可撓性ネットの被覆エリアが、前記第１及び第２クッションの間において弛みなく延びている請求項１ないし請求項８いずれかに記載の保護部材。
【請求項１０】
前記可撓性ネットが、耐候性を有する樹脂製ネットであり、前記ネットの網目の縦横ピッチが、１〜４ｃｍの範囲、又は、前記支持ロッドの直径の１〜２倍の範囲にある請求項１ないし請求項９いずれかに記載の保護部材。
【請求項１１】
前記緩衝スペースにおける前記被保護物と前記可撓性ネットの被覆エリアとの間の離間寸法が、５０〜１００ｍｍの範囲にある請求項１ないし請求項１０いずれかに記載の保護部材。
【請求項１２】
前記支持ロッドが、全螺子ロッド又は異形断面ロッドである請求項１ないし請求項１１いずれかに記載の保護部材。
【請求項１３】
前記支持手段が、エアコン室外機の筐体であり、前記被保護物が、前記エアコン室外機の筐体から露出する熱交換器フィンであり、前記可撓性ネットの被覆エリアが、前記熱交換器フィンの露出面全域を覆うことが可能であり、前記第１及び第２クッションが、前記取付手段によって前記エアコン室外機の筐体の外側に取り付けられ、前記保護部材では、前記取付手段によって前記第１及び第２クッションを前記エアコン室外機の筐体の外側に取り付けたときに、前記第１及び第２クッションが前記筐体に当接し、前記ネットの被覆エリアが前記熱交換器フィンの露出面全域を覆いつつ該熱交換器フィンの外方へ所定寸法離間して位置し、前記熱交換器フィンと前記ネットの被覆エリアとの間に前記緩衝スペースが形成される請求項１ないし請求項１２いずれかに記載の保護部材。
【発明の詳細な説明】
【技術分野】
【０００１】
本発明は、被保護物を覆うことでその被保護物を保護する保護部材に関する。
【背景技術】
【０００２】
複数の金属条部材が格子状に配置され、縦方向に延びる金属条部材の下端部に設けられてエアコン室外機の筐体の底部から立ち上がった立上り部を圧接可能な圧接部と、縦方向に延びる金属条部材の上端部に設けられて締結部材が通されてエアコン室外機の外表面に固定される取り付け部とを備えたエアコン室外機の保護部材が開示されている（特許文献１参照）。この保護部材は、圧接部に立上り部が圧接されることで、エアコン室外機の筐体に保護部材の下端部が取り付けられるから、エアコン室外機の熱交換器フィンと立上り部との隙間の寸法に関わらず、保護部材をエアコン室外機の筐体に容易に取り付けることができる。
【先行技術文献】
【特許文献】
【０００３】
【特許文献１】特開２０１７−１７２９２８号公報
【発明の概要】
【発明が解決しようとする課題】
【０００４】
前記特許文献１に開示のエアコン室外機の保護部材は、金属条部材がエアコン室外機の筐体から露出する熱交換器フィンの外側に位置し、金属条部材によって熱交換器フィンが保護される。しかし、金属条部材が熱交換器フィンの直近に位置し、金属条部材に外物が衝突し、それによって金属条部材が熱交換器フィンに向かって変形すると、金属条部材が熱交換器フィンに衝突又は接触して熱交換器フィンが変形し、又は、熱交換器フィンが破損や損傷して熱交換性能が低下する場合がある。
【０００５】
また、金属条部材の網目の縦横ピッチが大きく、網目（開口）が広いから、網目から外物が容易に進入し、網目から進入した外物が熱交換器フィンに衝突又は接触して熱交換器フィンが変形し、又は、熱交換器フィンが破損や損傷する場合がある。このように、特許文献１に開示のエアコン室外機の保護部材では、エアコン室外機の筐体から露出する熱交換器フィンを十分に保護することができない。なお、熱交換器フィンが変形すると、フィン修正器具を利用してその変形を補修しなければならず、補修に時間と手間とを要する。また、熱交換器フィンが破損や損傷すると、熱交換器フィンを交換しなければならず、交換に時間と手間とを要するのみならず、交換のための費用が発生する。
【０００６】
本発明の目的は、支持手段から露出する被保護物に対する外物の衝突を防ぐことができ、被保護物の外力による変形や破損、損傷を確実に防ぐことができる保護部材を提供することにある。本発明の他の目的は、エアコン室外機の筐体から露出する熱交換器フィンに対する外物の衝突を防ぐことができ、熱交換器フィンの外力による変形や破損、損傷を確実に防ぐことができるとともに、積雪によるエアコン室外機の熱交換空間の閉塞を防ぐことができる保護部材を提供することにある。
【課題を解決するための手段】
【０００７】
前記課題を解決するための本発明の前提は、被保護物を覆うことでその被保護物を保護する保護部材である。
【０００８】
前記前提における本発明の特徴としては、保護部材が、所定面積の可撓性ネットと、ネットに取り付けられた支持ロッドと、ネットの一方の端部に位置し、所定の取付手段によって被保護物を支持する支持手段の一端側に取り付けられる所定厚みの第１クッションと、ネットの他方の端部に位置し、取付手段によって支持手段の他端側に取り付けられる所定厚みの第２クッションとから形成され、保護部材では、取付手段によって第１及び第２クッションを支持手段に取り付けたときに、第１及び第２クッションが支持手段に当接し、ネットの被覆エリアが被保護物の露出面全域を覆いつつ被保護物の外方へ所定寸法離間して位置し、被保護物とネットの被覆エリアとの間に緩衝スペースが形成されることにある。
【０００９】
本発明の一例としては、第１クッションが、可撓性ネットの一端部を一方向へ巻き畳むことから形成され、第２クッションが、可撓性ネットの他端部を一方向へ巻き畳むことから形成され、被覆エリアが、第１及び第２クッションの間に延びている。
【００１０】
本発明の他の一例として、保護部材では、第１クッションが被保護物を支持する支持手段の上端部に当接し、第２クッションが支持手段の下端部に当接し、被覆エリアが第１及び第２クッションの間において被保護物の露出面全域を覆いつつ上下方向へ延びている。
【００１１】
本発明の他の一例としては、複数の支持ロッドが、横方向へ所定寸法離間しつつ可撓性ネットの被覆エリアに位置して上下方向へ延びているとともに、ネットの網目に挿通されることでネットに取り付けられ、又は、所定の連結手段によってネットに取り付けられている。
【００１２】
本発明の他の一例としては、それら支持ロッドが、可撓性ネットの被覆エリアの一方の側縁部と他方の側縁部と中央部とに配置されている。
【００１３】
本発明の他の一例として、保護部材では、第１クッションが被保護物を支持する支持手段の一方の側部に当接し、第２クッションが支持手段の他方の側部に当接し、被覆エリアが第１及び第２クッションの間において被保護物の露出面全域を覆いつつ横方向へ延びている。
【００１４】
本発明の他の一例としては、複数の前記支持ロッドが、上下方向へ所定寸法離間しつつ可撓性ネットの被覆エリアに位置して横方向へ延びるとともに、ネットの網目に挿通されることでネットに取り付けられ、又は、所定の連結手段によってネットに取り付けられている。
【００１５】
本発明の他の一例としては、それら支持ロッドが、可撓性ネットの被覆エリアの上端部と下端部と中央部とに配置されている。
【００１６】
本発明の他の一例としては、可撓性ネットの被覆エリアが、第１及び第２クッションの間において弛みなく延びている。
【００１７】
本発明の他の一例としては、可撓性ネットが、耐候性を有する樹脂製ネットであり、ネットの網目の縦横ピッチが、１〜４ｃｍの範囲、又は、支持ロッドの直径の１〜２倍の範囲にある。
【００１８】
本発明の他の一例としては、緩衝スペースにおける被保護物と可撓性ネットの被覆エリアとの間の離間寸法が、５０〜１００ｍｍの範囲にある。
【００１９】
本発明の他の一例としては、支持ロッドが、全螺子ロッド又は異形断面ロッドである。
【００２０】
本発明の他の一例としては、支持手段が、エアコン室外機の筐体であり、被保護物が、エアコン室外機の筐体から露出する熱交換器フィンであり、可撓性ネットの被覆エリアが、熱交換器フィンの露出面全域を覆うことが可能であり、第１及び第２クッションが、取付手段によってエアコン室外機の筐体の外側に取り付けられ、保護部材では、取付手段によって第１及び第２クッションをエアコン室外機の筐体の外側に取り付けたときに、第１及び第２クッションが筐体に当接し、ネットの被覆エリアが熱交換器フィンの露出面全域を覆いつつ熱交換器フィンの外方へ所定寸法離間して位置し、熱交換器フィンとネットの被覆エリアとの間に緩衝スペースが形成される。
【発明の効果】
【００２１】
本発明に係る保護部材によれば、取付手段によって第１及び第２クッションを支持手段に取り付けたときに、第１及び第２クッションが支持手段に当接し、可撓性ネットの被覆エリアが被保護物の露出面全域を覆いつつ被保護物の外方へ所定寸法離間して位置するから、ネットの被覆エリアによって支持手段から露出する被保護物に対する外物の衝突や接触を防ぐことができ、被保護物の外力による変形や破損、損傷を確実に防ぐことができる。保護部材は、所定厚みの第１及び第２クッションが被保護物を支持する支持手段に当接することで、可撓性ネットの被覆エリアが被保護物の外方（外側）へ所定寸法離間し、被保護物とネットの被覆エリアとの間に緩衝スペースが形成されるから、ネットに外物が衝突又は接触したとしても、ネットの被覆エリアが被保護物に達することはなく、被保護物に対する外物の衝突や接触を確実に防ぐことができる。保護部材は、支持ロッドが被覆エリアに延びるとともに可撓性ネットに取り付けられているから、支持ロッドによってネットの被覆エリアの撓みや弛み、捩れを防止することができ、ネットの被覆エリアに外物が衝突又は接触したとしても、ネットの被覆エリアが被保護物に達することはなく、被保護物に対する外物の衝突や接触を確実に防ぐことができる。保護部材は、強風時でも風が可撓性ネットの網目を通過するから、被覆エリアが風にあおられることはなく、強風時においてもネットの被覆エリアによる被保護物の被覆状態を維持することができる。保護部材は、可撓性ネットの網目から被保護物の状態を視認することができ、被保護物の変形や破損、損傷を容易に確認することができる。
【００２２】
第１クッションが可撓性ネットの一端部を一方向へ巻き畳むことから形成され、第２クッションが可撓性ネットの他端部を一方向へ巻き畳むことから形成され、被覆エリアが第１及び第２クッションの間に延びている保護部材は、可撓性ネットの端部を巻き畳むことで第１及び第２クッションが作られるから、ネット自体を利用してネットから第１及び第２クッションを作ることができ、第１及び第２クッションとして別部材を設置する手間やコストを省くことができる。
【００２３】
第１クッションが被保護物を支持する支持手段の上端部に当接し、第２クッションが支持手段の下端部に当接し、被覆エリアが第１及び第２クッションの間において被保護物の露出面全域を覆いつつ上下方向へ延びている保護部材は、第１及び第２クッションの間において上下方向へ延びる可撓性ネットの被覆エリアが被保護物の露出面全域を覆うから、ネットの被覆エリアによって支持手段から露出する被保護物に対する外物の衝突や接触を防ぐことができ、被保護物の外力による変形や破損、損傷を確実に防ぐことができる。保護部材は、上下方向へ長い被保護物の保護に最適に使用することができ、上下方向へ長い被保護物の外力による変形や破損、損傷の防止に好適に使用することができる。
【００２４】
複数の支持ロッドが横方向へ所定寸法離間しつつ可撓性ネットの被覆エリアに位置して上下方向へ延びているとともに、ネットの網目に挿通されることでネットに取り付けられ、又は、所定の連結手段によってネットに取り付けられている保護部材は、横方向へ所定寸法離間するそれら支持ロッドが被覆エリアに位置しつつネットに取り付けられることで、それら支持ロッドによって可撓性ネットの被覆エリアの撓みや弛み、捩れを防止することができ、ネットの被覆エリアに外物が衝突又は接触したとしても、被覆エリアが被保護物に達することはなく、被保護物に対する外物の衝突や接触を確実に防ぐことができるとともに、被保護物の外力による変形や破損、損傷を確実に防ぐことができる。
【００２５】
それら支持ロッドが可撓性ネットの被覆エリアの一方の側縁部と他方の側縁部と中央部とに配置されている保護部材は、支持ロッドが被覆エリアの一方の側縁部と他方の側縁部と中央部とに配置されることで、それら支持ロッドによって可撓性ネットの被覆エリアの一方の側縁部や他方の側縁部、中央部の撓みや弛み、捩れを防止することができ、それによって被覆エリア全域の撓みや弛み、捩れを防止することができる。保護部材は、被覆エリア全域の撓みや弛み、捩れを防止することができるから、可撓性ネットの被覆エリアに外物が衝突又は接触したとしても、被覆エリアが被保護物に達することはなく、被保護物に対する外物の衝突や接触を確実に防ぐことができるとともに、被保護物の外力による変形や破損、損傷を確実に防ぐことができる。
【００２６】
第１クッションが被保護物を支持する支持手段の一方の側部に当接し、第２クッションが支持手段の他方の側部に当接し、被覆エリアが第１及び第２クッションの間において被保護物の露出面全域を覆いつつ横方向へ延びている保護部材は、第１及び第２クッションの間において横方向へ延びる可撓性ネットの被覆エリアが被保護物の露出面全域を覆うから、ネットの被覆エリアによって支持手段から露出する被保護物に対する外物の衝突や接触を防ぐことができ、被保護物の外力による変形や破損、損傷を確実に防ぐことができる。保護部材は、横方向へ長い被保護物の保護に最適に使用することができ、横方向へ長い被保護物の外力による変形や破損、損傷の防止に好適に使用することができる。
【００２７】
複数の支持ロッドが上下方向へ所定寸法離間しつつ可撓性ネットの被覆エリアに位置して横方向へ延びるとともに、ネットの網目に挿通されることでネットに取り付けられ、又は、所定の連結手段によってネットに取り付けられている保護部材は、上下方向へ所定寸法離間する複数の支持ロッドが被覆エリアに位置しつつネットに取り付けられることで、それら支持ロッドによって可撓性ネットの被覆エリアの撓みや弛み、捩れを防止することができ、ネットの被覆エリアに外物が衝突又は接触したとしても、被覆エリアが被保護物に達することはなく、被保護物に対する外物の衝突や接触を確実に防ぐことができるとともに、被保護物の外力による変形や破損、損傷を確実に防ぐことができる。
【００２８】
それら支持ロッドが可撓性ネットの被覆エリアの上端部と下端部と中央部とに配置されている保護部材は、支持ロッドが被覆エリアの上端部と下端部と中央部とに配置されることで、それら支持ロッドによって可撓性ネットの被覆エリアの上端部や下端部、中央部の撓みや弛み、捩れを防止することができ、それによって被覆エリア全域の撓みや弛み、捩れを防止することができる。保護部材は、被覆エリア全域の撓みや弛み、捩れを防止することができるから、可撓性ネットの被覆エリアに外物が衝突又は接触したとしても、被覆エリアが被保護物に達することはなく、被保護物に対する外物の衝突や接触を確実に防ぐことができるとともに、被保護物の外力による変形や破損、損傷を確実に防ぐことができる。
【００２９】
可撓性ネットの被覆エリアが第１及び第２クッションの間において弛みなく延びている保護部材は、可撓性ネットの被覆エリアが第１及び第２クッションの間において弛みなく延びることで、ネットの被覆エリアに外物が衝突又は接触したとしても、被覆エリアが撓むことや弛むことはなく、被覆エリアによって被保護物に対する外物の衝突や接触を確実に防ぐことができ、被保護物の外力による変形や破損、損傷を確実に防ぐことができる。
【００３０】
可撓性ネットが耐候性を有する樹脂製ネットであり、ネットの網目の縦横ピッチが１〜４ｃｍの範囲、又は、支持ロッドの直径の１〜２倍の範囲にある保護部材は、可撓性ネットとして耐候性の樹脂製ネットを使用することで、ネットの耐久性が高く、被保護物に対して保護部材を長期間使用することができ、ネットが風雨にさらされたとしてもネットが錆付くことがなく、錆による被保護物への悪影響を防ぐことができる。保護部材は、可撓性ネットの網目の縦横ピッチが１〜４ｃｍの範囲、又は、支持ロッドの直径の１〜２倍の範囲にあり、ネットの網目の縦横ピッチが小さく、網目（開口）が狭いから、網目からの外物の進入を防ぐことができ、ネットの被覆エリアによって被保護物に対する外物の衝突や接触を確実に防ぐことができる。
【００３１】
緩衝スペースにおける被保護物と可撓性ネットの被覆エリアとの間の離間寸法が５０〜１００ｍｍの範囲にある保護部材は、被保護物と可撓性ネットの被覆エリアとの間の離間寸法を前記範囲にすることで、被保護物とネットの被覆エリアとの間の緩衝スペースに十分な緩衝域を形成することができ、ネットに外物が衝突又は接触したとしても、ネットの被覆エリアが被保護物に達することはなく、被保護物に対する外物の衝突や接触を確実に防ぐことができる。
【００３２】
支持ロッドが全螺子ロッド又は異形断面ロッドである保護部材は、全螺子ロッドや異形断面ロッドの周面が可撓性ネットの網目に引っ掛かり、網目からの全螺子ロッドや異形断面ロッドの抜けを防ぐことができ、全螺子ロッドや異形断面ロッドを利用してネットの被覆エリアの撓みや弛み、捩れを防止することができる。保護部材は、全螺子ロッドや異形断面ロッドによって被覆エリア全域の撓みや弛み、捩れを防止することができるから、ネットの被覆エリアに外物が衝突又は接触したとしても、被覆エリアが被保護物に達することはなく、被保護物に対する外物の衝突や接触を確実に防ぐことができるとともに、被保護物の外力による変形や破損、損傷を確実に防ぐことができる。
【００３３】
支持手段がエアコン室外機の筐体であり、被保護物がエアコン室外機の筐体から露出する熱交換器フィンであり、可撓性ネットの被覆エリアが熱交換器フィンの露出面全域を覆うことが可能であり、第１及び第２クッションが取付手段によってエアコン室外機の筐体の外側に取り付けられ、取付手段によって第１及び第２クッションをエアコン室外機の筐体の外側に取り付けたときに、第１及び第２クッションが筐体に当接し、ネットの被覆エリアが熱交換器フィンの露出面全域を覆いつつ熱交換器フィンの外方へ所定寸法離間して位置し、熱交換器フィンとネットの被覆エリアとの間に緩衝スペースが形成される保護部材は、可撓性ネットの被覆エリアによってエアコン室外機の筐体から露出する熱交換器フィンに対する外物の衝突や接触を防ぐことができ、熱交換器フィンの外力による変形や破損、損傷を確実に防ぐことができる。保護部材は、所定厚みの第１及び第２クッションがエアコン室外機の筐体に当接することで、ネットの被覆エリアが熱交換器フィンの外方（外側）へ所定寸法離間し、熱交換器フィンとネットの被覆エリアとの間に緩衝スペースが形成されるから、ネットに外物が衝突又は接触したとしても、ネットの被覆エリアが熱交換器フィンに達することはなく、熱交換器フィンに対する外物の衝突や接触を確実に防ぐことができる。保護部材は、支持ロッドが被覆エリアに延びるとともに可撓性ネットに取り付けられているから、支持ロッドによってネットの被覆エリアの撓みや弛み、捩れを防止することができ、ネットの被覆エリアに外物が衝突又は接触したとしても、被覆エリアが熱交換器フィンに達することはなく、熱交換器フィンに対する外物の衝突や接触を確実に防ぐことができる。保護部材は、強風時でも風が可撓性ネットの網目を通過するから、ネットの被覆エリアが風にあおられることはなく、強風時においても被覆エリアによる熱交換器フィンの被覆状態を維持することができる。保護部材は、可撓性ネットの網目から熱交換器フィンの状態を視認することができ、熱交換器フィンの変形や破損、損傷を容易に確認することができる。保護部材は、降雪によって雪が積もったとしても、可撓性ネットによって雪が緩衝スペースに進入することはなく、積雪によるエアコン室外機の熱交換空間の閉塞を防ぐことができる。
【図面の簡単な説明】
【００３４】
【図１】一例として示す保護部材の斜視図。
【図２】保護部材の正面図。
【図３】保護部材の側面図。
【図４】第１クッション及び被覆エリアに係止された支持ロッドの一端部及び中間部を示す拡大正面図。
【図５】保護部材を取り付けた一例として示すエアコン室外機の正面図。
【図６】保護部材を取り付けたエアコン室外機の側面図。
【図７】第１クッションをエアコン室外機の筐体に取り付ける取付手段の一例を示す拡大図。
【図８】第２クッションをエアコン室外機の筐体に取り付ける取付手段の一例を示す拡大図。
【図９】保護部材を取り付けた他の一例として示すエアコン室外機の正面図。
【図１０】保護部材を取り付けたエアコン室外機の上面図。
【図１１】保護部材を取り付けた一例として示す窓枠の正面図。
【図１２】保護部材を取り付けた窓枠の側面図。
【図１３】他の一例として示す保護部材の斜視図。
【図１４】図１３の保護部材の側面図。
【図１５】他の一例として示す保護部材の斜視図。
【図１６】図１５の保護部材の側面図。
【発明を実施するための形態】
【００３５】
一例として示す保護部材１０の斜視図である図１等の添付の図面を参照し、本発明にかかる保護部材の詳細を説明すると、以下のとおりである。なお、図２は、保護部材１０の正面図であり、図３は、保護部材１０の側面図である。図４は、第１クッション１５及び被覆エリア１７に係止された支持ロッド１３の一端部２１及び中間部２２を示す拡大正面図である。図１では、上下方向を矢印Ｘ、横方向を矢印Ｙで示し、前後方向を矢印Ｚで示す。
【００３６】
保護部材１０（保護部材４０，４３を含む）は、被保護物１１を覆うことでその被保護物１１を保護する。保護部材１０は、所定面積の可撓性ネット１２（可撓性の網）と、複数の細長い支持ロッド１３（金属棒又は合成樹脂棒）とから形成されている。被保護物１１が上下方向へ長い場合、図２に示すように、可撓性ネット１２を上下方向へ延在させた状態で保護部材１０を使用する。被保護物１１が横方向へ長い場合、図２の状態から被保護物１０を９０度回転させ、可撓性ネット１２を横方向へ延在させた状態で保護部材１０を使用する。
【００３７】
可撓性ネット１２は、被保護物１１の露出面全域を覆うことが可能な大きさを有する。可撓性ネット１２は、後記する所定の取付手段によって被保護物１１を支持する支持手段１４に着脱可能に取り付けられる。なお、可撓性ネット１２の大きさに特に制限はなく、被保護物１１の大きさに応じてネット１２の大きさを適宜決定することができる。
【００３８】
可撓性ネット１２は、所定厚みの第１クッション１５（第１クッション部）と、所定厚みの第２クッション１６（第２クッション部）と、所定面積の被覆エリア１７とを有する。第１クッション１５は、可撓性ネット１２の一端部１８を一方向へロール状に巻き畳むことによって作られている。第２クッション１６は、可撓性ネット１２の他端部１９を一方向へロール状に巻き畳むことによって作られている。
【００３９】
第１及び第２クッション１５，１６における可撓性ネット１２の巻き畳み回数に特に制限はないが、ネット１２の巻き畳み回数は２〜４回が好ましい。第１及び第２クッション１５，１６には、巻き畳まれたネット１２に囲繞された空間（空洞）が形成されている。第１及び第２クッション１５，１６は、弾性変形可能な緩衝材となる。
【００４０】
被覆エリア１７は、第１クッション１５（第１クッション部）と第２クッション１６（第２クッション部）との間において直状かつ弛みなく延びている。保護部材１０を上下方向へ長い被保護物１１に使用する場合、第１クッション１５を上方に位置させ、第２クッション１６を第１クッション１５の下方に位置させて被覆エリア１７を上下方向へ延在させる。保護部材１０を横方向へ長い被保護物１１に使用する場合、第１クッション１５を側方に位置させ、第２クッション１６を第１クッション１５の反対側の側方に位置させて被覆エリア１７を横方向へ延在させる。
【００４１】
可撓性ネット１２には、耐候性を有する樹脂製ネットが使用されている。樹脂製ネット１２には、高密度ポリエチレンから作られた耐候性（屋外暴露による耐久性）を有するポリエチレン樹脂製ネット、ナイロンから作られた耐候性を有するナイロン製ネット、ポリエステルから作られた耐候性を有するポリエステル製ネット、ポリプロピレンから作られた耐候性を有するポリプロピレン樹脂製ネット、フッ素繊維から作られた耐候性を有するフッ素繊維製ネットを使用することができる。
【００４２】
保護部材１０は、可撓性ネット１２として耐候性の樹脂製ネットを使用することで、ネット１２の耐久性が高く、被保護物１１に対して保護部材１０（可撓性ネット１２）を長期間使用することができ、ネット１２が風雨にさらされたとしてもネット１２が錆付くことがなく、錆による被保護物１１への悪影響を防ぐことができる。
【００４３】
可撓性ネット１２（樹脂製ネット）の網目２０の縦ピッチは、１〜４ｃｍの範囲にあり、網目２０の横ピッチは、１〜４ｃｍの範囲にある。例えば、１×１ｃｍの網目２０や２×２ｃｍの網目２０、３×３ｃｍの網目２０、４×４ｃｍの網目２０の可撓性ネット１２を使用することができる。また、可撓性ネット１２（樹脂製ネット）の網目２０の縦ピッチは、支持ロッド１３の直径の１〜２倍の範囲にあり、網目２０の横ピッチは、支持ロッド１３の直径の１〜２倍の範囲にある。
【００４４】
保護部材１０は、可撓性ネット１２の網目２０の縦横ピッチが１〜４ｃｍの範囲にあり、又は、可撓性ネット１２の網目２０の縦横ピッチが支持ロッド１３の直径の１〜２倍の範囲にあり、ネット１２の網目２０の縦横ピッチが小さく、網目２０（開口）が狭いから、網目２０からの外物の進入を防ぐことができ、ネット１２の被覆エリア１７によって被保護物１１に対する外物の衝突や接触を防ぐことができる。
【００４５】
それら支持ロッド１３は、第１及び第２クッション１５，１６と被覆エリア１７とに位置して直状に延びる金属棒又は合成樹脂棒である。支持ロッド１３は、被覆エリア１７の撓みや弛み、捩れを防止する。支持ロッド１３には、周面全体に螺子が形成された全螺子ロッド（全螺子金属棒又は全螺子合成樹脂棒）が使用されている。支持ロッド１３には、異形断面ロッド（異形断面金属棒又は異形断面合成樹脂棒）を使用することもできる。
【００４６】
それら支持ロッド１３は、可撓性ネット１２の第１クッション１５に位置する一端部２１と、第２クッション１６に位置する他端部２３と、被覆エリア１７に位置する中間部２２とを有する。支持ロッド１３の一端部２１は、図４に示すように、第１クッション１５を形成する可撓性ネット１２の網目２０にその一部が挿通されることで、第１クッション１５に係止されている（取り付けられている）。
【００４７】
支持ロッド１３の他端部２３は、ロッド１３の一端部２１と同様に、第２クッション１６を形成する可撓性ネット１２の網目２０にその一部が挿通されることで、第２クッション１６に係止されている（取り付けられている）。支持ロッド１３の中間部２２は、図４に示すように、被覆エリア１７の可撓性ネット１２の網目２０にその一部が挿通されることで、被覆エリア１７に係止されている（取り付けられている）。可撓性ネット１２に取り付けられる支持ロッド１３の数について特に制限はなく、ネット１２の大きさに応じてロッド１３の数を適宜決定することができる。
【００４８】
保護部材１０は、支持ロッド１３として全螺子ロッド又は異形断面ロッドを使用することで、全螺子ロッドや異形断面ロッドの周面が可撓性ネット１２の網目２０に引っ掛かり、網目２０からの支持ロッド１３（全螺子ロッドや異形断面ロッド）の抜けを防ぐことができ、支持ロッド１３を利用して可撓性ネット１２の被覆エリア１７の撓みや弛み、捩れを確実に防止することができる。
【００４９】
保護部材１０を上下方向へ長い被保護物１１に使用する場合、取付手段によって可撓性ネット１２を被保護物１１の支持手段１４に取り付けたときに、ネット１２の第１クッション１５が被保護物１１の支持手段１４の上端部の外側又は内側に当接し、ネット１２の第２クッション１６が被保護物１１の支持手段１４の下端部の外側又は内側に当接し、被覆エリア１７が第１及び第２クッション１５，１６の間において被保護物１１の露出面全域を覆いつつ上下方向へ延びる。被覆エリア１７が被保護物１１の外方（外側）へ所定寸法離間して位置し、被保護物１１とネット１２の上下方向へ延びる被覆エリア１７との間に緩衝スペース２４（図６，図１１，図１２参照）が形成される。
【００５０】
保護部材１０を横方向へ長い被保護物１１に使用する場合、取付手段によって可撓性ネット１２を被保護物１１の支持手段１４に取り付けたときに、ネット１２の第１クッション１５が被保護物１１の支持手段１４の一方の側部の外側又は内側に当接し、ネット１２の第２クッション１６が被保護物１１の支持手段１４の他方の側部の外側又は内側に当接し、被覆エリア１７が第１及び第２クッション１５，１６の間において被保護物１１の露出面全域を覆いつつ横方向へ延びる。被覆エリア１７が被保護物１１の外方（外側）へ所定寸法離間して位置し、被保護物１１とネット１２の横方向へ延びる被覆エリア１７との間に緩衝スペース２４が形成される。
【００５１】
図５は、保護部材１０Ａを取り付けた一例として示すエアコン室外機２５ａの正面図であり、図６は、保護部材１０Ａを取り付けたエアコン室外機２５ａの側面図である。図７は、第１クッション１５をエアコン室外機２５ａの筐体１４ａに取り付ける取付手段の一例を示す拡大図であり、図８は、第２クッション１６をエアコン室外機２５ａの筐体１４ａに取り付ける取付手段の一例を示す拡大図である。
【００５２】
図５に示す保護部材１０Ａ（フィン保護部材）は、上下方向へ長いエアコン室外機２５ａの筐体１４ａ（支持手段１４）から露出する熱交換器フィン１１ａ（被保護物１１）を保護する。保護部材１０Ａは、第１及び第２クッション１５，１６が取付手段によってエアコン室外機２５ａの筐体１４ａの外側に着脱可能に取り付けられている。
【００５３】
第１クッション１５（第１クッション部）は、筐体１４ａの上端部２６の外側に取り付けられ、筐体１４ａの上端部２６の外側に当接している。第２クッション１６（第２クッション部）は、筐体１４ａの下端部２７の外側に取り付けられ、筐体１４ａの下端部２７の外側に当接している。取付手段は、フック２９を有する取付ベルト２８（布バンド又はゴムバンド等）が使用されているが、取付手段に特に限定はなく、保護部材１０Ａ（フィン保護部材）をエアコン室外機２５ａの筐体１４ａに着脱可能に取付可能であれば、結束バンドやマグネット、ワイヤー、クリップ材等の他のあらゆる取付手段を利用することができる。
【００５４】
第１クッション１５では、取付ベルト２８の一方のフック２９が第１クッション１５の可撓性ネット１２の網目２０に係止され（引っ掛けられ）、ベルト２８の他方のフック２９がエアコン室外機２５ａの筐体１４ａに取り付けられた金網に係止されている（引っ掛けられている）。取付ベルト２８は、バックルによってその長さが調節可能であり、第１クッション１５とエアコン室外機２５ａの筐体１４ａとの間で伸長状態（テンションをかけた状態）にある。
【００５５】
第２クッション１６では、取付ベルト２８のフック２９が第２クッション１６の可撓性ネット１２の網目２０に係止されているとともに（引っ掛けられているとともに）、ベルト２８がエアコン室外機２５ａの筐体１４ａの下方に巻き付けられて筐体１４ａの下方に係止されている。取付ベルト２８は、バックルによってその長さが調節可能であり、第２クッション１６とエアコン室外機２５ａの筐体１４ａとの間で伸長状態（テンションをかけた状態）にある。なお、エアコン室外機２５ａの筐体１４ａに対する取付ベルト２８の係止を解除することで、保護部材１０Ａ（フィン保護部材）をエアコン室外機２５ａの筐体１４ａから取り外すことができる。
【００５６】
複数の支持ロッド１３は、可撓性ネット１２の網目２０に係止され、横方向へ所定寸法離間しつつ第１及び第２クッション部１５，１６と被覆エリア１７とに位置して上下方向へ延びている。それら支持ロッド１３は、可撓性ネット１２の被覆エリア１７の一方の側縁部３０と他方の側縁部３２とそれら側縁部３０，３２の間の中央部３１とに配置されている。保護部材１０Ａは、支持ロッド１３が被覆エリア１７の一方の側縁部３０と他方の側縁部３２と中央部３１とに配置されることで、それら支持ロッド１３によって可撓性ネット１２の被覆エリア１７の一方の側縁部３０や他方の側縁部３２、中央部３１の撓みや弛み、捩れを防止することができ、それによって被覆エリア１７全域の撓みや弛み、捩れを防止することができる。
【００５７】
保護部材１０Ａでは、取付ベルト２８（取付手段）によって可撓性ネット１２をエアコン室外機２５ａの筐体１４ａ（支持手段１４）の外側に取り付けたときに、ネット１２の第１クッション１５がエアコン室外機２５ａの筐体１４ａの上端部２６の外側に当接し、ネット１２の第２クッション１６がエアコン室外機２５ａの筐体１４ａの下端部２７の外側に当接するとともに、ネット１２の被覆エリア１７が第１及び第２クッション１５，１６の間において上下方向へ延在し、ネット１２の被覆エリア１７が熱交換器フィン１１ａ（被保護物１１）の露出面全域を覆いつつ熱交換器フィン１１ａの外方へ所定寸法離間して位置する。熱交換器フィン１１ａとネット１２の被覆エリア１７との間には、緩衝スペース２４が形成される。熱交換器フィン１１ａは、第１及び第２クッション１５，１６の間に延びる可撓性ネット１７の被覆エリア１７によってその全域が覆われる。
【００５８】
緩衝スペース２４における熱交換器フィン１１ａ（被保護物１１）と可撓性ネット１２の被覆エリア１７との間の離間寸法Ｌ１は、５０〜１００ｍｍの範囲にある。離間寸法Ｌ１が５０ｍｍ未満では、熱交換器フィン１１ａと被覆エリア１２との間の緩衝スペース２４に十分な緩衝域（離間距離）を形成することができず、ネット１２に外物が衝突又は接触したときに、ネット１２の被覆エリア１７が熱交換器フィン１１ａ（被保護物１１）に達し、外物が熱交換器フィン１１ａに衝突又は接触する場合がある。
【００５９】
保護部材１０Ａは、上下方向へ長いエアコン室外機２５ａの熱交換器フィン１１ａ（被保護物１１）と可撓性ネット１２の被覆エリア１７との間の離間寸法Ｌ１が前記範囲にあるから、熱交換器フィン１１ａと被覆エリア１２との間の緩衝スペース２４に十分な緩衝域（離間距離）を形成することができ、ネット１２に外物が衝突又は接触したとしても、ネット１２の被覆エリア１７が熱交換器フィン１１ａに達することはなく、熱交換器フィン１１ａに対する外物の衝突や接触を確実に防ぐことができる。
【００６０】
エアコン室外機２５ａの周辺で所定の作業が行われたときに、作業において使用する作業器具（外物）がエアコン室外機２５ａの筐体１４ａから露出する熱交換器フィン１１ａ（被保護物１１）に衝突又は接触する場合がある。エアコン室外機２５ａの筐体１４ａに保護部材１０Ａを設置しない場合、作業器具（外物）が熱交換器フィン１１ａに衝突又は接触すると、それによって熱交換器フィン１１ａが変形や破損、損傷するが、保護部材１０Ａをエアコン室外機２５ａの筐体１４ａに取り付けることで、作業器具（外物）が保護部材１１ａの被覆エリア１７に衝突又は接触しても、ネット１２の被覆エリア１７が熱交換器フィン１１ａに達することはなく、熱交換器フィン１１ａに外物が衝突又は接触することはない。
【００６１】
保護部材１０Ａは、第１及び第２クッション１５，１６の間において上下方向へ延びる被覆エリア１７が筐体１４ａ（支持手段１４）から露出する熱交換器フィン１１ａ（被保護物１１）の露出面全域を覆うとともに、被覆エリア１７が熱交換器フィン１１ａの外方（外側）へ所定寸法離間して位置するから、可撓性ネット１２の被覆エリア１７によって筐体１４ａから露出する熱交換器フィン１１ａに対する外物の衝突や接触を防ぐことができ、熱交換器フィン１１ａの外力による変形や破損、損傷を確実に防ぐことができる。
【００６２】
保護部材１０Ａは、可撓性ネット１２の所定厚みの第１及び第２クッション１５，１６がエアコン室外機２５ａの筐体１４ａ（支持手段１４）の上端部２６及び下端部２７に当接することで、ネット１２の被覆エリア１７が熱交換器フィン１１ａ（被保護物１１）の外方（外側）へ所定寸法離間し、熱交換器フィン１１ａとネット１２の被覆エリア１７との間に緩衝スペース２４が形成されるから、ネット１２に外物が衝突又は接触したとしても、ネット１２の被覆エリア１７が熱交換器フィン１１ａに達することはなく、熱交換器フィン１１ａに対する外物の衝突や接触を確実に防ぐことができる。保護部材１０Ａは、上下方向へ長い被保護物１１（エアコン室外機２５ａの熱交換器フィン１１ａ）の保護に最適に使用することができ、上下方向へ長い被保護物１１の外力による変形や破損、損傷の防止に好適に使用することができる。
【００６３】
保護部材１０Ａは、横方向へ所定寸法離間して上下方向へ延びるそれら支持ロッド１３が第１及び第２クッション１５，１６と被覆エリア１７とに位置しつつ被覆エリア１７の一方の側縁部３０と他方の側縁部３２と中央部３１とに配置されることで、それら支持ロッド１３によって可撓性ネット１２の被覆エリア１７の一方の側縁部３０や他方の側縁部３２、中央部３１の撓みや弛み、捩れを防止することができ、それによって被覆エリア１７全域の撓みや弛み、捩れを防止することができる。
【００６４】
保護部材１０Ａは、それら支持ロッド１３によって被覆エリア１７全域の撓みや弛み、捩れを防止することができるから、可撓性ネット１２の被覆エリア１７に外物が衝突又は接触したとしても、ネット１２の被覆エリア１７が熱交換器フィン１１ａ（被保護物１１）に達することはなく、熱交換器フィン１１ａに対する外物の衝突や接触を確実に防ぐことができるとともに、熱交換器フィン１１ａの外力による変形や破損、損傷を確実に防ぐことができる。
【００６５】
保護部材１０Ａは、強風時でも風が可撓性ネット１２の網目２０を通過するから、ネット１２の上下方向へ延びる被覆エリア１７が風にあおられることはなく、強風時においても被覆エリア１７による熱交換器フィン１１ａ（被保護物１１）の被覆状態を維持することができる。保護部材１０Ａは、可撓性ネット１２の網目２０から熱交換器フィン１１ａ（被保護物１１）の状態（無傷や変形、破損、損傷）を視認することができ、熱交換器フィン１１ａの状態を容易に確認することができる。保護部材１０Ａは、降雪によって雪が積もったとしても、可撓性ネット１２によって雪が緩衝スペース２４に進入することはなく、積雪によるエアコン室外機２５ａの熱交換空間の閉塞を防ぐことができる。
【００６６】
図９は、保護部材１０Ｂを取り付けた他の一例として示すエアコン室外機２５ｂの正面図であり、図１０は、保護部材１０Ｂを取り付けたエアコン室外機２５ｂの上面図である。図９に示す保護部材１０Ｂ（フィン保護部材）は、横方向へ長いエアコン室外機２５ｂの筐体１４ｂ（支持手段１４）から露出する熱交換器フィン１１ｂ（被保護物１１）を保護する。保護部材１０Ｂは、第１及び第２クッション１５，１６が取付ベルト２８（取付手段）によってエアコン室外機２５ｂの筐体１４ｂの外側に着脱可能に取り付けられている。第１クッション１５（第１クッション部）は、筐体１４ｂの一方の側部３３の外側に取り付けられ、一方の側部３３の外側に当接している。第２クッション１６（第２クッション部）は、筐体１４ｂの他方の側部３４の外側に取り付けられ、他方の側部３４の外側に当接している。
【００６７】
第１クッション１５では、取付ベルト２８（布バンド又はゴムバンド等）のフック２９が第１クッション１５の可撓性ネット１２の網目２０に係止されているとともに（引っ掛けられているとともに）、取付ベルト２８がエアコン室外機２５ｂの筐体１４ｂの上方及び下方に巻き付けられて筐体１４ｂの上方及び下方に係止されている。取付ベルト２８は、第１クッション１５とエアコン室外機２５ｂの筐体１４ｂとの間で伸長状態（テンションをかけた状態）にある。
【００６８】
第２クッション１６では、取付ベルト２８のフック２９が第２クッション１６の可撓性ネット１２の網目２０に係止されているとともに（引っ掛けられているとともに）、取付ベルト２８がエアコン室外機２５ｂの筐体１４ｂの上方及び下方に巻き付けられて筐体１４ｂの上方及び下方に係止されている。取付ベルト２８は、第２クッション１６とエアコン室外機２５ｂの筐体１４ｂとの間で伸長状態（テンションをかけた状態）にある。なお、エアコン室外機２５ｂの筐体１４ｂに対する取付ベルト２８の係止を解除することで、保護部材１０Ｂ（フィン保護部材）をエアコン室外機２５ｂの筐体１４ｂから取り外すことができる。
【００６９】
複数の支持ロッド１３は、可撓性ネット１２の網目２０に係止され、上下方向へ所定寸法離間しつつ第１及び第２クッション１５，１６と被覆エリア１７とに位置して横方向へ延びている。それら支持ロッド１３は、可撓性ネット１２の被覆エリア１７の上端部３５と下端部３７と上下端部３５，３７の間の中央部３６とに配置されている。保護部材１０Ｂは、支持ロッド１３が被覆エリア１７の上端部３５と下端部３７と中央部３６とに配置されることで、それら支持ロッド１３によって可撓性ネット１２の被覆エリア１７の上端部３５や下端部３７、中央部３６の撓みや弛み、捩れを防止することができ、それによって被覆エリア１２全域の撓みや弛み、捩れを防止することができる。
【００７０】
保護部材１０Ｂでは、取付ベルト２８（取付手段）によって可撓性ネット１２をエアコン室外機２５ｂの筐体１４ｂ（支持手段１４）の外側に取り付けたときに、可撓性ネット１２の第１クッション１５がエアコン室外機２５ｂの筐体１４ｂの一方の側部３３の外側に当接し、ネット１２の第２クッション１６がエアコン室外機２５ｂの筐体１４ｂの他方の側部３４の外側に当接するとともに、ネット１２の被覆エリア１７が第１及び第２クッション１５，１６の間において横方向へ延在し、ネット１２の被覆エリア１７が熱交換器フィン１１ｂ（被保護物１１）の露出面全域を覆いつつ熱交換器フィン１１ｂの外方へ所定寸法離間して位置する。熱交換器フィン１１ｂとネット１２の被覆エリア１７との間には、緩衝スペース２４が形成される。熱交換器フィン１１ｂは、第１及び第２クッション１５，１６の間に延びる可撓性ネット１２の被覆エリア１７によってその全域が覆われる。
【００７１】
緩衝スペース２４における熱交換器フィン１１ｂ（被保護物１１）と可撓性ネット１２の被覆エリア１７との間の離間寸法Ｌ１は、５０〜１００ｍｍの範囲にある。保護部材１０Ｂは、横方向へ長いエアコン室外機２５ｂの熱交換器フィン１１ｂ（被保護物１１）と可撓性ネット１２の被覆エリア１７との間の離間寸法Ｌ１が前記範囲にあるから、熱交換器フィン１１ｂと被覆エリア１７との間の緩衝スペース２４に十分な緩衝域（離間距離）を形成することができ、ネット１２に外物が衝突又は接触したとしても、ネット１２の被覆エリア１７が熱交換器フィン１１ｂに達することはなく、熱交換器フィン１１ｂに対する外物の衝突や接触を確実に防ぐことができる。
【００７２】
保護部材１０Ｂは、第１及び第２クッション１５，１６の間において横方向へ延びる被覆エリア１７が筐体１４ｂ（支持材１４）から露出する熱交換器フィン１１ｂ（被保護物１１）の露出面全域を覆うとともに、被覆エリア１７が熱交換器フィン１１ｂの外方（外側）へ所定寸法離間して位置するから、可撓性ネット１２の被覆エリア１７によって筐体１４ｂから露出する熱交換器フィン１１ｂに対する外物の衝突や接触を防ぐことができ、熱交換器フィン１１ｂの外力による変形や破損、損傷を確実に防ぐことができる。
【００７３】
保護部材１０Ｂは、可撓性ネット１２の所定厚みの第１及び第２クッション１５，１６がエアコン室外機２５ｂの筐体１４ｂ（支持材１４）の両側部３３，３４に当接することで、ネット１２の被覆エリア１７が熱交換器フィン１１ｂ（被保護物１１）の外方（外側）へ所定寸法離間し、熱交換器フィン１１ｂとネット１２の被覆エリア１７との間に緩衝スペース２４が形成されるから、ネット１２に外物が衝突又は接触したとしても、ネット１２の被覆エリア１７が熱交換器フィン１１ｂに達することはなく、熱交換器フィン１１ｂに対する外物の衝突や接触を確実に防ぐことができる。保護部材１０Ｂは、横方向へ長い被保護物１１（エアコン室外機２５ｂの熱交換器フィン１１ｂ）の保護に最適に使用することができ、横方向へ長い被保護物１１の外力による変形や破損、損傷の防止に好適に使用することができる。
【００７４】
保護部材１０Ｂは、上下方向へ所定寸法離間して横方向へ延びるそれら支持ロッド１３が第１及び第２クッション１５，１６と被覆エリア１７とに位置しつつ被覆エリア１７の上端部３５と下端部３７と中央部３６とに配置されることで、それら支持ロッド１３によって可撓性ネット１２の被覆エリア１７の上端部３５や下端部３７、中央部３６の撓みや弛み、捩れを防止することができ、それによって被覆エリア１７全域の撓みや弛み、捩れを防止することができる。
【００７５】
保護部材１０Ｂは、それら支持ロッド１３によって被覆エリア１７全域の撓みや弛み、捩れを防止することができるから、ネット１２の被覆エリア１７に外物が衝突又は接触したとしても、ネット１２の被覆エリア１７が熱交換器フィン１１ｂ（被保護物１１）に達することはなく、熱交換器フィン１１ｂに対する外物の衝突や接触を確実に防ぐことができるとともに、熱交換器フィン１１ｂの外力による変形や破損、損傷を確実に防ぐことができる。
【００７６】
保護部材１０Ｂは、強風時でも風がネット１２の網目２０を通過するから、可撓性ネット１２の横方向へ延びる被覆エリア１７が風にあおられることはなく、強風時においても被覆エリア１７による熱交換器フィン１１ｂ（被保護物１１）の被覆状態を維持することができる。保護部材１０Ｂは、可撓性ネット１２の網目２０から熱交換器フィン１１ｂ（被保護物１１）の状態（無傷や変形、破損、損傷）を視認することができ、熱交換器フィン１１ｂの状態を容易に確認することができる。保護部材１０Ｂは、降雪によって雪が積もったとしても、可撓性ネット１２によって雪が緩衝スペース２４に進入することはなく、積雪によるエアコン室外機２５ｂの熱交換空間の閉塞を防ぐことができる。
【００７７】
なお、図５や図９に示す保護部材１０Ａ，１０Ｂ（フィン保護部材）は、建造物の新築工事期間において、エアコン室外機２５ａ，２５ｂの建築現場への搬入から設置、試運転、竣工までの間、エアコン室外機２５ａ，２５ｂに設置され、建造物が施工された竣工後にエアコン室外機２５ａ，２５ｂから取り外される。また、建造物の改修工事期間において、運転中のエアコン室外機２５ａ，２５ｂに設置され、改修工事が終了した後にエアコン室外機２５ａ，２５ｂから取り外される。取り外された保護部材１０Ａ，１０Ｂは、次のエアコン室外機２５ａ，２５ｂに設置されて繰り返し使用される。
【００７８】
図１１は、保護部材１０Ｃを取り付けた一例として示す窓枠１４ｃの正面図であり、図１２は、保護部材１０Ｃを取り付けた窓枠１４ｃの側面図である。図１１に示す保護部材１１Ｃ（ガラス保護部材）は、窓枠１４ｃ（支持手段１４）に取り付けられた窓ガラス１１ｃ（被保護物１１）を保護する。保護部材１０Ｃは、第１及び第２クッション１５，１６が取付手段によって窓枠１４ｃに着脱可能に取り付けられている。第１クッション１５（第１クッション部）は、窓枠１４ｃに取り付けられ、窓枠１４ｃの上端部３８の内側又は外側に当接している。第２クッション１６（第２クッション部）は、窓枠１４ｃの下端部３９に取り付けられ、窓枠１４ｃの下端部３９の内側又は外側に当接している。
【００７９】
保護部材１０Ｃでは、取付手段によって可撓性ネット１２を窓枠１４ｃ（支持手段１４）に取り付けたときに、可撓性ネット１２の第１クッション１５が窓枠１４ｃの上端部３８の内側又は外側に当接し、ネット１２の第２クッション１６が窓枠１４ｃの下端部３９の内側又は外側に当接するとともに、ネット１２の被覆エリア１７が第１及び第２クッション１５，１６の間において上下方向へ延在し、ネット１２の被覆エリア１７が窓ガラス１１ｃ（被保護物１１）の露出面全域を覆いつつ窓ガラス１１ｃの外方（外側）へ所定寸法離間して位置する。窓ガラス１１ｃとネット１２の被覆エリア１７との間には、緩衝スペース２４が形成される。窓ガラス１１ｃは、第１及び第２クッション１５，１６の間に延びる可撓性ネット１２の被覆エリア１７によってその全域が覆われる。
【００８０】
緩衝スペース２４における窓ガラス１１ｃ（被保護物１１）と可撓性ネット１２の被覆エリア１７との間の離間寸法Ｌ１は、５０〜１００ｍｍの範囲にある。保護部材１０Ｃは、窓ガラス１１ｃ（被保護物１１）と可撓性ネット１２の被覆エリア１７との間の離間寸法Ｌ１が前記範囲にあるから、窓ガラス１１ｃと被覆エリア１７との間の緩衝スペース２４に十分な緩衝域（離間距離）を形成することができ、ネット１２に外物が衝突又は接触したとしても、ネット１２の被覆エリア１７が窓ガラス１１ｃに達することはなく、窓ガラス１１ｃに対する外物の衝突や接触を確実に防ぐことができる。
【００８１】
保護部材１０Ｃは、第１及び第２クッション１５，１６の間において上下方向へ延びる被覆エリア１７が窓枠１４ｃ（支持手段１４）から露出する窓ガラス１１ｃ（被保護物１１）の露出面全域を覆うとともに、被覆エリア１７が窓ガラス１１ｃの外方（外側）へ所定寸法離間して位置するから、可撓性ネット１２の被覆エリア１７によって窓枠１４ｃから露出する窓ガラス１１ｃに対する外物の衝突や接触を防ぐことができ、窓ガラス１１ｃの外力による破損や損傷を確実に防ぐことができる。
【００８２】
保護部材１０Ｃは、可撓性ネット１２の所定厚みの第１及び第２クッション１５，１６が窓枠１４ｃの上端部３８及び下端部３９に当接することで、ネット１２の被覆エリア１７が窓ガラス１１ｃ（被保護物１１）の外方（外側）へ所定寸法離間し、窓ガラス１１ｃとネット１２の被覆エリア１８との間に緩衝スペース２４が形成されるから、ネット１２に外物が衝突又は接触したとしても、ネット１２の被覆エリア１７が窓ガラス１１ｃに達することはなく、窓ガラス１１ｃに対する外物の衝突や接触を確実に防ぐことができる。
【００８３】
保護部材１０Ｃは、それら支持ロッド１３によって被覆エリア１７全域の撓みや弛み、捩れを防止することができるから、ネット１２の被覆エリア１７に外物が衝突又は接触したとしても、ネット１２の被覆エリア１７が窓ガラス１１ｃ（被保護物１１）に達することはなく、窓ガラス１１ｃに対する外物の衝突や接触を確実に防ぐことができるとともに、窓ガラス１１ｃの外力による変形や破損、損傷を確実に防ぐことができる。
【００８４】
保護部材１０Ｃは、強風時でも風がネット１２の網目２０を通過するから、可撓性ネット１２の上下方向へ延びる被覆エリア１７が風にあおられることはなく、被覆エリア１７による窓ガラス１１ｃ（被保護物１１）の被覆状態を維持することができる。保護部材１０Ｃは、可撓性ネット１２の網目２０から窓ガラス１１ｃ（被保護物１１）の状態（無傷や破損、損傷）を視認することができ、窓ガラス１１ｃの状態を容易に確認することができる。
【００８５】
図１１に示す保護部材１０Ｃは、建造物の新築工事期間において、窓枠１４ｃに設置された後、内装工事が終了した後、窓枠１４ｃから取り外される。建造物の改修工事期間において、窓枠１４ｃに設置された後、改修工事が終了した後、窓枠１４ｃから取り外される。取り外された保護部材１０Ｃは、次の窓枠１４ｃに設置されて繰り返し使用される。」
【００８６】
図５や図９、図１１に示す保護部材１０Ａ〜１０Ｃは、  第１クッション１５が可撓性ネット１２の一端部１８を一方向へ巻き畳むことから形成され、第２クッション１６が可撓性ネット１２の他端部１９を一方向へ巻き畳むことから形成されているから、ネット１２自体を利用してネット１２から第１及び第２クッション１５，１６を作ることができ、第１及び第２クッションとして別部材を設置する手間やコストを省くことができる。
【００８７】
図５や図９、図１１に示す保護部材１０Ａ〜１０Ｃは、エアコン室外機２５，２５ｂ（熱交換器フィン１１ａ，１１ｂ）や窓枠１４ｃ（窓ガラス１１ｃ）の他に、わずかな衝撃によって変形や破損、損傷が生じる部品や部位を備えた装置や施設、設備に設置し、建造物の新築工事期間や建造物の改修工事期間における部品や部位の変形や破損、損傷の防止に利用することができる。
【００８８】
図１３は、他の一例として示す保護部材４０の斜視図であり、図１４は、図１３の保護部材４０の側面図である。図１３では、上下方向を矢印Ｘ、横方向を矢印Ｙで示し、前後方向を矢印Ｚで示す。図１３の保護部材４０が図１のそれと異なるところは、第１及び第２クッションが可撓性ネット１２と別の第１及び第２クッション材４１，４２によって形成されている点にあり、保護部材４０のその他の構成は図１のそれらと同一であるから、図１の保護部材１０の説明を援用するとともに、図１の保護部材１０と同一の符号を付すことで、この保護部材４０のその他の構成の詳細な説明は省略する。
【００８９】
保護部材４０は、所定面積の可撓性ネット１２（可撓性の網）と、複数の細長い支持ロッド１３（金属棒又は合成樹脂棒）と、第１及び第２クッション材４１，４２（第１及び第２クッション）から形成されている。可撓性ネット１２は、図１の保護部材１０のそれと同一であるが、その一端部１８や他端部１９が一方向へ巻き畳まれることなく、その被覆エリア１７が第１クッション材４１と第２クッション４２との間において直状かつ弛みなく延びている。可撓性ネット１２（樹脂製ネット）の網目２０の縦ピッチや横ピッチは、図１の保護部材１０の可撓性ネット１２のそれらと同一である。
【００９０】
第１クッション材４１は、可撓性ネット１２の一端部１８に位置し、ネット１２の一端部１８に所定の取付手段（取付ベルトや結束バンド、マグネット、ワイヤー、クリップ材等）によって取り付けられている。第２クッション材４２は、可撓性ネット１２の他端部１９に位置し、ネット１２の他端部１９に所定の取付手段（取付ベルトや結束バンド、マグネット、ワイヤー、クリップ材等）によって取り付けられている。第１及び第２クッション４１，４２は、弾性変形可能な緩衝材となる。
【００９１】
第１及び第２クッション材４１，４２はその断面形状が円形であるが、第１及び第２クッション材４１，４２の断面形状に特に限定はなく、あらゆる断面形状の第１及び第２クッション材４１，４２を使用することができる。第１及び第２クッション材４１，４２には、発泡ウレタンや発泡ポリスチレン、ゴムチューブ等を使用することができる他、ネット１２とは別のネットを巻き畳んで作ることもできる。
【００９２】
それら支持ロッド１３は、図１の保護部材１０のそれと同一であり、第１及び第２クッション４１，４２（可撓性ネット１２の一端部及び他端部）と被覆エリア１７とに位置して直状に延びている。支持ロッド１３の一端部２１や中間部２２、他端部２３は、可撓性ネット１２の網目２０にその一部が挿通されることで、可撓性ネット１２に係止されている（取り付けられている）。なお、支持ロッド１３の一端部２１や中間部２２、他端部２３を可撓性ネット１２の網目２０に挿通することなく、後記する図１５，１６に示すように、支持ロッド１３の一端部２１や中間部２２、他端部２３が可撓性ネット１２の網目２０に結束バンド４４によって連結されていてもよい。
【００９３】
保護部材４０を上下方向へ長い被保護物１１（エアコン室外機やガラス窓等）に使用する場合、所定の取付手段（取付ベルトや結束バンド、マグネット、ワイヤー、クリップ材等）によって第１及び第２クッション材４１，４２（可撓性ネット１２の一端部１８及び他端部１９）を被保護物１１の支持手段１４（エアコン室外機の筐体やガラス窓の窓枠等）に取り付ける。
【００９４】
第１及び第２クッション材４１，４２（可撓性ネット１２の一端部１８及び他端部１９）を被保護物１１の支持手段１４に取り付けると、第１クッション材４１が被保護物１１の支持手段１４の上端部の外側又は内側に当接し、第２クッション材４２が被保護物１１の支持手段１４の下端部の外側又は内側に当接し、可撓性ネット１２の被覆エリア１７が第１及び第２クッション材４１，４２の間において被保護物１１の露出面全域を覆いつつ上下方向へ延びる。被覆エリア１７が被保護物１１の外方（外側）へ所定寸法離間して位置し、被保護物１１とネット１２の上下方向へ延びる被覆エリア１７との間に緩衝スペース２４が形成される（図６，図１１，図１２参照）。
【００９５】
保護部材４０を横方向へ長い被保護物１１（エアコン室外機やガラス窓等）に使用する場合、所定の取付手段（取付ベルトや結束バンド、マグネット、ワイヤー、クリップ材等）によって第１及び第２クッション材４１，４２（可撓性ネット１２の一端部１８及び他端部１９）を被保護物１１の支持手段１４（エアコン室外機の筐体やガラス窓の窓枠等）に取り付ける。
【００９６】
第１及び第２クッション材４１，４２（可撓性ネット１２の一端部１８及び他端部１９）を被保護物１１の支持手段１４に取り付けると、第１クッション材４１が被保護物１１の支持手段１４の一方の側部の外側又は内側に当接し、第２クッション材４２が被保護物１１の支持手段１４の他方の側部の外側又は内側に当接し、可撓性ネット１２の被覆エリア１７が第１及び第２クッション４１，４２の間において被保護物１１の露出面全域を覆いつつ横方向へ延びる。被覆エリア１７が被保護物１１の外方（外側）へ所定寸法離間して位置し、被保護物１１とネット１２の横方向へ延びる被覆エリア１７との間に緩衝スペース２４が形成される。
【００９７】
図１３及び図１４の保護部材４０は、図１の保護部材１０（保護部材１０Ａ，１０Ｂ，１０Ｃ）が有する効果に加え、第１及び第２クッション材４１，４２が可撓性ネット１２とは別体であるから、被保護物１１を支持する支持手段１４の形状や材質、強度等に応じて各種のクッション材から最適なそれを選択することができ、クッション材による支持手段１４の傷付きや凹み等を防止することができる。
【００９８】
図１５は、他の一例として示す保護部材４３の斜視図であり、図１６は、図１５の保護部材４３の側面図である。図１５では、上下方向を矢印Ｘ、横方向を矢印Ｙで示し、前後方向を矢印Ｚで示す。図１５の保護部材４３が図１のそれと異なるところは、各支持ロッド１３の一端部２１や中間部２２、他端部２３が可撓性ネット１２の網目２０に挿通されておらず、それら支持ロッド１３が結束バンドによって可撓性ネット１２の第１及び第２クッション１５，１６と被覆エリア１７とに取り付けられている点にあり、保護部材４３のその他の構成は図１のそれらと同一であるから、図１の保護部材１０の説明を援用するとともに、図１の保護部材１０と同一の符号を付すことで、この保護部材４３のその他の構成の詳細な説明は省略する。
【００９９】
保護部材４３は、所定面積の可撓性ネット１２（可撓性の網）と、複数の細長い支持ロッド１３（金属棒又は合成樹脂棒）とから形成されている。可撓性ネット１２は、図１の保護部材１０のそれと同一であり、所定厚みの第１クッション１５（第１クッション部）と、所定厚みの第２クッション１６（第２クッション部）と、所定面積の被覆エリア１７とを有する。可撓性ネット１２（樹脂製ネット）の網目２０の縦ピッチや横ピッチは、図１の保護部材１０の可撓性ネット１２のそれらと同一である。第１及び第２クッション１５，１６や被覆エリア１７は、図１の保護部材１０のそれと同一である。第１及び第２クッション１５，１６は、弾性変形可能な緩衝材となる。
【０１００】
それら支持ロッド１３は、図１の保護部材１０のそれと同一であり、第１及び第２クッション１５，１６と被覆エリア１７とに位置して直状に延びている。支持ロッド１３は、被覆エリア１７の撓みや弛み、捩れを防止する。支持ロッド１３には、周面全体に螺子が形成された全螺子ロッド（全螺子金属棒又は全螺子合成樹脂棒）が使用されている。支持ロッド１３には、異形断面ロッド（異形断面金属棒又は異形断面合成樹脂棒）を使用することもできる。
【０１０１】
それら支持ロッド１３は、可撓性ネット１２の第１クッション１５に位置する一端部２１と、第２クッション１６に位置する他端部２３と、被覆エリア１７に位置する中間部２２とを有する。支持ロッド１３の一端部２１は、図１５，１６に示すように、第１クッション１５を形成する可撓性ネット１２の網目２０に結束バンド４４によって連結され、第１クッション１５に取り付けられている。支持ロッド１３の他端部２３は、第２クッション１６を形成する可撓性ネット１２の網目２０に結束バンド４４によって連結され、第２クッション１６に取り付けられている。支持ロッド１３の中間部２２は、被覆エリア１７に延びる可撓性ネット１２の網目２０に結束バンド４４によって連結され、被覆エリア１７に取り付けられている。
【０１０２】
保護部材４３を上下方向へ長い被保護物１１（エアコン室外機やガラス窓等）に使用する場合、所定の取付手段（取付ベルトや結束バンド、マグネット、ワイヤー、クリップ材等）によって第１及び第２クッション材１５，１６を被保護物１１の支持手段１４（エアコン室外機の筐体やガラス窓の窓枠等）に取り付ける。第１及び第２クッション材１５，１６を被保護物１１の支持手段１４に取り付けると、第１クッション材１５が被保護物１１の支持手段１４の上端部の外側又は内側に当接し、第２クッション材１６が被保護物１１の支持手段１４の下端部の外側又は内側に当接し、可撓性ネット１２の被覆エリア１７が第１及び第２クッション材１５，１６の間において被保護物１１の露出面全域を覆いつつ上下方向へ延びる。被覆エリア１７が被保護物１１の外方（外側）へ所定寸法離間して位置し、被保護物１１とネット１２の上下方向へ延びる被覆エリア１７との間に緩衝スペース２４が形成される（図６，図１１，図１２参照）。
【０１０３】
保護部材４３を横方向へ長い被保護物１１（エアコン室外機やガラス窓等）に使用する場合、所定の取付手段（取付ベルトや結束バンド、マグネット、ワイヤー、クリップ材等）によって第１及び第２クッション材１５，１６を被保護物１１の支持手段１４（エアコン室外機の筐体やガラス窓の窓枠等）に取り付ける。第１及び第２クッション材１５，１６を被保護物１１の支持手段１４に取り付けると、第１クッション材１５が被保護物１１の支持手段１４の一方の側部の外側又は内側に当接し、第２クッション材１６が被保護物１１の支持手段１４の他方の側部の外側又は内側に当接し、可撓性ネット１２の被覆エリア１７が第１及び第２クッション１５，１６の間において被保護物１１の露出面全域を覆いつつ横方向へ延びる。被覆エリア１７が被保護物１１の外方（外側）へ所定寸法離間して位置し、被保護物１１とネット１２の横方向へ延びる被覆エリア１７との間に緩衝スペース２４が形成される。
【０１０４】
保護部材４３は、図１の  保護部材１０（保護部材１０Ａ，１０Ｂ，１０Ｃ）が有する効果に加え、支持ロッド１３の一端部２１や中間部２２、他端部２３が結束バンド４４によって第１及び第２クッション１５，１６や被覆エリア１７に取り付けられ、各支持ロッド１３の一端部２１や中間部２２、他端部２３を可撓性ネット１２の網目２０に挿通する場合と比較し、可撓性ネット１２の被覆エリア１７に撓みや捩れが生じることはなく、被覆エリア１７が直状に延びるから、可撓性ネット１２の被覆エリア１７に外物が衝突又は接触したとしても、ネット１２の被覆エリア１７が熱交換器フィン１１ａ（被保護物１１）に達することはなく、熱交換器フィン１１ａに対する外物の衝突や接触を確実に防ぐことができるとともに、熱交換器フィン１１ａの外力による変形や破損、損傷を確実に防ぐことができる。
【符号の説明】
【０１０５】
１０    保護部材
１０Ａ  保護部材
１０Ｂ  保護部材
１０Ｃ  保護部材
１１    被保護物
１１ａ  熱交換器フィン（被保護物）
１１ｂ  熱交換器フィン（被保護物）
１１ｃ  窓ガラス（被保護物）
１２    可撓性ネット
１３    支持ロッド
１４    支持材
１４ａ  筐体（支持材）
１４ｂ  筐体（支持材）
１４ｃ  窓枠（支持材）
１５    第１クッション（第１クッション部）
１６    第２クッション（第２クッション部）
１７    被覆エリア
１８    一端部
１９    他端部
２０    網目
２１    一端部
２２    中間部
２３    他端部
２４    緩衝スペース
２５ａ  エアコン室外機
２５ｂ  エアコン室外機
２６    上端部
２７    下端部
２８    取付ベルト（取付手段）
２９    フック
３０    側縁部
３１    中央部
３２    側縁部
３３    側部
３４    側部
３５    上端部
３６    中央部
３７    下端部
３８    上端部
３９    下端部
４０    保護部材
４１    第１クッション材（第１クッション）
４２    第２クッション材（第２クッション）
４３    保護部材
４４    結束バンド
【図１】
2020134112.tif 000003
【図２】
2020134112.tif 000004
【図３】
2020134112.tif 000005
【図４】
2020134112.tif 000006
【図５】
2020134112.tif 000007
【図６】
2020134112.tif 000008
【図７】
2020134112.tif 000009
【図８】
2020134112.tif 000010
【図９】
2020134112.tif 000011
【図１０】
2020134112.tif 000012
【図１１】
2020134112.tif 000013
【図１２】
2020134112.tif 000014
【図１３】
2020134112.tif 000015
【図１４】
2020134112.tif 000016
【図１５】
2020134112.tif 000017
【図１６】
2020134112.tif 000018